(57)【要約】【課題】記憶媒体の特性に応じて適切な種類の情報を適切な記憶媒体に記録し、複数の記憶媒体の中からユーザが所望する特定の情報を確実かつ容易に取り出し表示し得る情報処理記録装置を提供する。【解決手段】情報を処理する情報処理部１１ｆと、情報処理部により処理された情報を記録する複数の記憶媒体２４ａ，２４ｂと、複数の記憶媒体のそれぞれに対応して設けられ複数の記憶媒体との間で情報の送受を行う複数の記録部１４ａ，１４ｂと、複数の記録部を駆動制御する記録制御部１１ｃと、複数の記憶媒体のそれぞれの固有情報を読み取って複数の記憶媒体のそれぞれの特性を判定する媒体判定部１１ｄと、媒体判定部による判定結果に基づいて情報処理部により処理された情報を複数の記憶媒体の特性に応じた適切な記憶媒体に複数の記録部を介して記録する制御部１１とを具備する。【選択図】図３
2018026745.tif 000002
【特許請求の範囲】
【請求項１】
情報を処理する情報処理部と、
上記情報処理部により処理された情報を記録する複数の記憶媒体と、
上記複数の記憶媒体のそれぞれに対応して設けられ上記複数の記憶媒体との間で情報の送受を行う複数の記録部と、
上記複数の記録部を駆動制御する記録制御部と、
上記複数の記憶媒体のそれぞれの固有情報を読み取って上記複数の記憶媒体のそれぞれの特性を判定する媒体判定部と、
上記媒体判定部による判定結果に基づいて、上記情報処理部によって処理された情報を、上記複数の記憶媒体の特性に応じた適切な記憶媒体に、上記複数の記録部を介して記録する制御部と、
を具備することを特徴とする情報処理記録装置。
【請求項２】
情報を表示する表示部と、
上記媒体判定部による判定結果に基づいて、上記情報処理部によって処理された情報を上記表示部に表示する制御を行う表示制御部と、
をさらに具備することを特徴とする請求項１に記載の情報処理記録装置。
【請求項３】
上記情報処理部は、情報のデータ圧縮処理を含む処理を行うことを特徴とする請求項１に記載の情報処理記録装置。
【請求項４】
情報を取得する情報取得部を、さらに具備することを特徴とする請求項１に記載の情報処理記録装置。
【請求項５】
上記情報取得部は、
撮像光学系及び撮像素子を含む撮像部と、
上記撮像部を駆動して行う撮像動作を制御すると共に、上記撮像部によって取得された画像信号の前処理を行って画像情報を生成する撮像制御部と、
を具備することを特等とする請求項４に記載の情報処理記録装置。
【請求項６】
撮像動作を行って画像信号を取得し、取得された画像信号に基く画像情報を生成し、
上記画像情報についての画像データ圧縮処理を含む情報処理を行って画像データを生成し、
複数の記憶媒体のそれぞれの固有情報を読み取って上記複数の記憶媒体のそれぞれの特性を判定し、
上記判定結果に基づいて、上記生成された画像データを、上記複数の記憶媒体の特性に応じて適切な記憶媒体に記録すると同時に、
上記判定結果に基づいて、上記複数の記憶媒体に記録された複数の画像データに基く画像を順次表示部に表示する
ことを特徴とする情報処理記録方法。
【請求項７】
撮像動作を行って画像信号を取得し、取得された画像信号に基く画像情報を生成するステップと、
上記画像情報についての画像データ圧縮処理を含む情報処理を行って画像データを生成するステップと、
複数の記憶媒体のそれぞれの固有情報を読み取って上記複数の記憶媒体のそれぞれの特性を判定するステップと、
上記判定に基づいて、上記生成された画像データを、上記複数の記憶媒体の特性に応じて適切な記憶媒体に記録するステップと、
同時に、上記判定に基づいて、上記複数の記憶媒体に記録された複数の画像データに基く画像を順次表示部に表示するステップと、
を含むことを特徴とする情報処理記録方法をコンピュータに実行させるための情報処理記録プログラム。
【発明の詳細な説明】
【技術分野】
【０００１】
この発明は、複数の記憶媒体を備え、例えば画像や音声その他のデータ化された各種の情報を処理し記録する情報処理記録装置，情報処理記録方法，情報処理記録プログラムに関するものである。
【背景技術】
【０００２】
従来、データ化された画像や音声その他（etc.）の各種情報を対象として、種々様々な処理を施すと共に、その処理済み情報（データ）を所定の記憶媒体（memory medium）に記録する情報処理記録装置が一般に実用化され広く普及している。この種の情報処理記録装置としては、具体的には例えば静止画像データや動画像データその他の情報を主に取り扱う（即ち情報を処理し記録する）デジタルカメラ（撮像装置）や、主に音声情報（音声データ）を取り扱う（即ち情報を処理し記録する）ボイスレコーダー（録音装置）のほか様々な形態のものがある。
【０００３】
このような形態の情報処理記録装置において取り扱われる情報（データ）を記録する記憶媒体としては、例えば内部固定型メモリや着脱カード型メモリその他各種の形態の記憶媒体が適用される。ここで、内部固定型メモリは装置内部に設けられる電気基板上に実装された半導体メモリによって構成されるものである。また、着脱カード型メモリはカード形状のケース内に収納された半導体メモリからなり、当該ケースを装置に対して着脱自在に構成さした形態のものである。
【０００４】
そして、従来の情報処理記録装置においては、複数の記憶媒体を具備して構成されるものが、例えば特開２００７−２２１２３５号公報やその他の文献によって種々提案され、実用化されている。
【０００５】
上記特開２００７−２２１２３５号公報によって開示されている情報処理記録装置としての撮像装置（デジタルカメラ）は、単一の装置において、メモリカードとワンタイムメモリとの２種類の記憶媒体を具備し、情報（データ）量の多い可逆圧縮データを低コストのワンタイムメモリに記録し、非可逆圧縮データをメモリカードに記録するように構成している。また、使用者（ユーザ）によって行われる設定によって、上記設定とは逆の設定とすることもできる。
【０００６】
つまり、上記特開２００７−２２１２３５号公報に開示されている撮像装置は、記憶媒体の種類（コスト，記録容量他）に応じて各対応する種類（可逆圧縮データ，非可逆圧縮データ他）の画像データを自動的に対応する記憶媒体に記録することができる。また、使用者（ユーザ）の意志（選択）を反映した設定に基づいて、設定された特定の記憶媒体に所望の画像データを記録するように構成している。
【先行技術文献】
【特許文献】
【０００７】
【特許文献１】特開２００７−２２１２３５号公報
【発明の概要】
【発明が解決しようとする課題】
【０００８】
ところが、上記特開２００７−２２１２３５号公報によって開示されている手段では、順次取得された画像データが、データの種類によって異なる記憶媒体に記録されることになる。したがって、使用者（ユーザ）は、特定の画像データが複数の記憶媒体のうちのいずれに存在するかを容易に特定することができず、混乱を招いてしまうという問題点がある。
【０００９】
特に近年においては、個々の記憶媒体の記録容量が大容量化の傾向にあると共に、個々の記憶媒体自体の低価格化が著しい。したがって、この種の情報処理記録装置を使用する使用者（ユーザ）は、多数の大容量記憶媒体を同時に扱う機会が増加している。
【００１０】
本発明は、上述した点に鑑みてなされたものであって、その目的とするところは、複数の記憶媒体を備え、例えば画像や音声その他のデータ化された各種の情報を処理し記録する情報処理記録装置において、記憶媒体の特性に応じて適切な種類の情報（データ）を適切な記憶媒体に記録すると共に、多量の情報（データ）が保存された複数の記憶媒体の中から使用者（ユーザ）が所望する特定の情報（データ）を確実にかつ容易に取り出し表示することのできる情報処理記録装置，情報処理記録方法，情報処理記録プログラムを提供することである。
【課題を解決するための手段】
【００１１】
上記目的を達成するために、本発明の一態様の情報処理記録装置は、情報を処理する情報処理部と、上記情報処理部により処理された情報を記録する複数の記憶媒体と、上記複数の記憶媒体のそれぞれに対応して設けられ上記複数の記憶媒体との間で情報の送受を行う複数の記録部と、上記複数の記録部を駆動制御する記録制御部と、上記複数の記憶媒体のそれぞれの固有情報を読み取って上記複数の記憶媒体のそれぞれの特性を判定する媒体判定部と、上記媒体判定部による判定結果に基づいて、上記情報処理部によって処理された情報を、上記複数の記憶媒体の特性に応じた適切な記憶媒体に、上記複数の記録部を介して記録する制御部と、を具備する。
【００１２】
本発明の一態様の情報処理記録方法は、撮像動作を行って画像信号を取得し、取得された画像信号に基く画像情報を生成し、上記画像情報についての画像データ圧縮処理を含む情報処理を行って画像データを生成し、複数の記憶媒体のそれぞれの固有情報を読み取って上記複数の記憶媒体のそれぞれの特性を判定し、上記判定結果に基づいて、上記生成された画像データを、上記複数の記憶媒体の特性に応じて適切な記憶媒体に記録すると同時に、上記判定結果に基づいて、上記複数の記憶媒体に記録された複数の画像データに基く画像を順次表示部に表示する。
【００１３】
本発明の一態様の情報処理記録プログラムは、撮像動作を行って画像信号を取得し、取得された画像信号に基く画像情報を生成するステップと、上記画像情報についての画像データ圧縮処理を含む情報処理を行って画像データを生成するステップと、複数の記憶媒体のそれぞれの固有情報を読み取って上記複数の記憶媒体のそれぞれの特性を判定するステップと、上記判定に基づいて、上記生成された画像データを、上記複数の記憶媒体の特性に応じて適切な記憶媒体に記録するステップと、同時に、上記判定に基づいて、上記複数の記憶媒体に記録された複数の画像データに基く画像を順次表示部に表示するステップと、を含む情報処理記録方法をコンピュータに実行させる。
【発明の効果】
【００１４】
本発明によれば、複数の記憶媒体を備え、例えば画像や音声その他のデータ化された各種の情報を処理し記録する情報処理記録装置において、記憶媒体の特性に応じて適切な種類の情報（データ）を適切な記憶媒体に記録すると共に、多量の情報（データ）が保存された複数の記憶媒体の中から使用者（ユーザ）が所望する特定の情報（データ）を確実にかつ容易に取り出し表示することのできる情報処理記録装置，情報処理記録方法，情報処理記録プログラムを提供することができる。
【図面の簡単な説明】
【００１５】
【図１】本発明の一実施形態の情報処理記録装置である撮像装置の主に前面を示す外観斜視図
【図２】図１の情報処理記録装置（撮像装置）の主に背面を示す外観斜視図
【図３】図１の情報処理記録装置（撮像装置）の内部主要構成を示すブロック構成図
【図４】本発明の一実施形態の情報処理記録装置（撮像装置）におけるメインフローチャートの主要部
【図５】図４のフローチャートにおいて分岐符号Ａで示す分岐以降の処理を示す部分フローチャート
【図６】図４のフローチャートにおいて分岐符号Ｂで示す分岐以降の処理を示す部分フローチャート
【図７】図４のステップＳ２の処理（ライブビュー画像表示処理）の結果、表示部（１６，１７）の表示形態についての具体例を示す図
【図８】図５のステップＳ３１の処理（優先媒体設定処理）の確認画面の表示例
【図９】図８の表示において所定の選択操作を行った後の確認画面の表示例
【図１０】図１の情報処理記録装置（撮像装置）において、画質に関する設定情報のうち記録する画像データファイルの種類の設定の例示
【図１１】図１の情報処理記録装置（撮像装置）において、画質に関する設定情報のうち圧縮データを記録する設定を含む場合の圧縮データに関する画質の設定の例示
【図１２】図１の情報処理記録装置（撮像装置）において、記録方法設定処理にて設定される記録方法の例示
【図１３】図１の情報処理記録装置（撮像装置）における優先媒体判定処理において、動作モード設定情報に対する推奨優先媒体の例示
【図１４】図１の情報処理記録装置（撮像装置）において、二つの記録部のカードスロットにそれぞれ装着された各記憶媒体に対し「分割記録」を行った際のファイル構造を示す概念図
【図１５】図１４の状態において、二つの記録部のうちの一方（第２記録部のカードスロット）の第２記憶媒体を別の第３記憶媒体に差し替えた際のファイル構造を示す概念図
【図１６】図１の情報処理記録装置（撮像装置）において、二つの記憶媒体を使用して記録動作を行う際に各記憶媒体に固有番号情報（ユニークＩＤ）が附されるようすを示すファイル構造の概念図
【図１７】図１５の状況において、固有番号情報（ユニークＩＤ）が不一致の場合の例を示すファイル構造の概念図
【図１８】図１７の状況において、新たな固有番号情報（ユニークＩＤ）が附されるようすを示すファイル構造の概念図
【発明を実施するための形態】
【００１６】
以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、これら各図面に記載された構成要素の数量や構成要素の形状や構成要素の大きさの比率や各構成要素の相対的な位置関係等に関し、図示の形態のみに限定されるものではない。
【００１７】
本発明の一実施形態は、情報処理記録装置の一例として、例えば静止画像データ、動画像データ及びこれに伴う音声データその他の情報について、各種のデータ処理及び記録処理を行い得るように構成される撮像装置（いわゆるデジタルカメラなど）を例示するものである。ここで、本実施形態の情報処理記録装置である撮像装置は、撮像光学系によって結像された光学像を、撮像素子（例えばＣＣＤ（Charge Coupled Device；電荷結合素子）イメージセンサーやＣＭＯＳ（Complementary Metal Oxide Semiconductor；相補性金属酸化膜半導体）型イメージセンサーその他の形態の光電変換素子）を用いて順次光電変換し、当該撮像素子により得られた画像信号を所定の形態の画像データ（例えば静止画像又は動画像を表わすデジタル画像データ）として記憶媒体に記録すると共に、この記憶媒体に記録されたデジタル画像データに基いて静止画像又は動画像を再生表示する画像表示装置（例えば液晶表示ディスプレイ（Liquid Crystal Display；ＬＣＤ）や有機エレクトロルミネッセンス（有機ＥＬ；Organic Electro-Luminescence：ＯＥＬ）ディスプレイなど）を備えて構成される撮像装置（例えばデジタルカメラなど）である。
【００１８】
なお、当該撮像装置が取り扱い得る画像データには、上記静止画像データ及び動画像データのほかに、これら静止画像データや動画像データに含まれる音声データも含むものとする。この場合において、上記音声データは、上記各画像データを構成するデータファイルに一体に含まれる形態のものであってもよいし、上記音声データと上記画像データとを別個のデータファイルとして保持し両者を関連付けた構成とする形態のものであってもよい。
【００１９】
図１〜図３は、本発明の一実施形態の情報処理記録装置である撮像装置の概略構成を示す図である。このうち図１は本実施形態の情報処理記録装置（撮像装置）の主に前面を示す外観斜視図である。図２は同情報処理記録装置（撮像装置）の主に背面を示す外観斜視図である。図３は同情報処理記録装置（撮像装置）の内部主要構成を示すブロック構成図である。
【００２０】
まず、本実施形態の情報処理記録装置である撮像装置の概略構成を、図１〜図３を用いて以下に説明する。
【００２１】
本実施形態の情報処理記録装置である撮像装置１０は、筐体２１と、撮像部１２と、操作部１３と、複数の記録部１４（１４ａ，１４ｂ，１４ｃ）と、複数の記憶媒体２４（２４ａ，２４ｂ，２４ｃ）と、第１表示部１６と、第２表示部１７などを有して構成されている。なお、これらの各構成部は、図１〜図３の全てに図示されているわけではない。
【００２２】
筐体２１は、略直方体形状に形成され、本撮像装置１０の外装部材を構成する部材である。筐体２１の内部には、本撮像装置１０を構成する各種の構成部材が収納されている。
【００２３】
撮像部１２は、情報としての画像データを生成する構成ユニットである。撮像部１２は、撮像光学系１２ａと撮像素子１２ｂとを含んで構成されている。このうち撮像光学系１２ａは、被写体の光学像を結像させる複数の光学レンズなどによって構成されている。この撮像光学系１２ａは、上記筐体２１の前面に設けられている。そして、撮像光学系１２ａは、当該撮像装置１０の前方に位置する被写体（不図示）からの光束を集光して、上記筐体２１の内部に設けられている撮像素子１２ｂの受光面上に光学像を結像させるように構成されている。
【００２４】
本実施形態の撮像装置１０における撮像光学系１２ａ自体は、従来の一般的な構成の撮像装置が具備する撮像光学系と同様のものが適用されているものとする。したがって、撮像光学系１２ａの構成の詳細な説明は省略する。なお、上記撮像光学系１２ａの中心軸を光軸というものとし、この光軸を、図１に示すように、符号Ｏで示すものとする。
【００２５】
撮像素子１２ｂは、上記撮像光学系１２ａにより結像された光学像を順次光電変換して画像信号を取得し、取得された画像信号を所定の形態の情報である画像データ（例えば静止画像又は動画像を表わすデジタル画像データ）を生成する光電変換素子である。撮像素子１２ｂは、例えばＣＣＤ（Charge Coupled Device；電荷結合素子）イメージセンサーやＣＭＯＳ（Complementary Metal Oxide Semiconductor；相補性金属酸化膜半導体）型イメージセンサーその他の形態のものが適用される。
【００２６】
撮像素子１２ｂの受光面は、光軸Ｏに直交する面に対して平行に配置されている。また、上記撮像光学系１２ａと上記撮像素子１２ｂとは、撮像素子１２ｂの受光面の略中心を貫く中心軸（仮想線）と撮像光学系１２ａの光軸Ｏとが略一致するように、当該撮像装置１０の所定の位置にそれぞれが配設されている。
【００２７】
操作部１３は、複数の操作部材（１３ａ，１３ｂ，１３ｃ，１３ｄ，１３ｅ）と、これら複数の操作部材のそれぞれに対応するスイッチ部品などの電気的構成部材（不図示）とを含んで構成されている。操作部１３は、使用者（ユーザ）の操作を受けて、各所定の指示信号を発生させるための構成部である。
【００２８】
具体的には、上記複数の操作部材は、上記筐体２１の外面において、各々所定の部位に設けられている。これら複数の操作部材のそれぞれは、上記筐体２１の内部に設けられる電気基板（不図示）上に実装配置されている複数の電気部品（スイッチ部材；不図示）にそれぞれ対応させて設けられている。そして、使用者（ユーザ）による上記操作部材への操作を受けて、個々の操作部材は各対応する電気部品に作用する。これによって、操作部材が作用した電気部品からは、所定の指示信号が発生するように構成されている。ここで発生した指示信号は、後述する画像処理制御部１１へと出力される（詳細後述）。
【００２９】
上記複数の操作部材の具体的な形態としては、図１，図２に示すように、回転式ダイヤル操作部材１３ａ，１３ｅや押圧式ボタン操作部材１３ｂ，１３ｃ，１３ｄなどのほか、図示していないがスライド式操作部材などが用いられる。
【００３０】
上記回転式ダイヤル操作部材１３ａ，１３ｅは、例えば動作モードの切り換え操作や、撮像動作若しくは再生動作時の各種の設定切り換え操作などに対応する操作部材である。また、上記押圧式ボタン操作部材１３ｂ，１３ｃ，１３ｄは、撮像動作の開始操作（シャッタレリース）や、撮像動作時若しくは再生動作時の各種の設定切り換えなどに対応する操作部材である。
【００３１】
複数の記録部１４（１４ａ，１４ｂ，１４ｃ）は、上記撮像部１２によって生成されたデジタル画像データを複数の記憶媒体２４に記録するための媒体駆動回路部や媒体取付部であるカードスロットなどを有して構成されている構成ユニット部である。即ち、上記複数の記録部１４は、複数の記憶媒体２４のそれぞれに各対応して設けられている。例えば、本実施形態における複数の記録部１４としては、第１記憶媒体２４ａに対応する第１記録部１４ａと、第２記憶媒体２４ｂに対応する第２記録部１４ｂと、内部メモリ２４ｃに対応する内部記録部１４ｃがある。なお、第１記録部１４ａと第２記録部１４ｂとは、同じ種類（規格）の記憶媒体に対応する同じ形態としてもよいし、異なる種類（規格）の記憶媒体に対応させた異なる形態としてもよい。これにより、上記複数の記録部１４（１４ａ，１４ｂ，１４ｃ）は、上記複数の記憶媒体２４（２４ａ，２４ｂ，２４ｃ）との間に介在し両者間で情報（画像データ）の送受を行う構成ユニットとして機能する。
【００３２】
複数の記憶媒体２４（２４ａ，２４ｂ，２４ｃ）は、上記撮像部１２によって取得され後述する撮像制御部１１ｅ，画像情報処理部１１ｆなどによる処理を経て生成された画像情報（デジタル画像データ）を記録するための構成部である。
【００３３】
本実施形態において、複数の記憶媒体２４としては、例えば二つの着脱カード型メモリ（第１記憶媒体２４ａと第２記憶媒体２４ｂ）と、一つの内部固定型メモリ（内部メモリ２４ｃ）とを例示している。なお、複数の記憶媒体２４の形態としては、上記の形態に限られることはなく、例えば内部メモリ２４ｃを省略した形態でもよい。また、着脱カード型メモリを三つ若しくはそれ以上の複数設けて構成する形態であってもよい。そして、着脱カード型メモリとしての第１記憶媒体２４ａと第２記憶媒体２４ｂとは、形状を含む種類又は規格が同じものを採用する形態であってもよいし、形状を含む種類又は規格が異なるものを採用する形態であってもよい。
【００３４】
なお、本実施形態の撮像装置１０においては、図２において示すように、複数の記録部１４のうちの二つの記録部（１４ａ，１４ｂ）の媒体取付部（以下、カードスロットという）を、筐体２１の一側面（即ち背面から見て右側面）に設けた例を示している。
【００３５】
本撮像装置１０の筐体２１の一側面には、上記二つの記録部が並べて配設されている。そして、各カードスロットの各開口は、同筐体２１の一側面方向に向けて開口している。
【００３６】
一方、本撮像装置１０の筐体２１の一側面の外面には、蓋部材２１ａが設けられている。この蓋部材２１ａは、一辺が筐体２１の一側面の外面に対してヒンジ部を介して回動自在に軸支されている。そして、当該蓋部材２１ａは、筐体２１の一側面に対して上記ヒンジ部を回転軸として回動することによって、上記二つの記録部の各カードスロットの各開口を外部に対して露呈する開位置（図２に示す状態）と、同開口を覆う閉位置との間で変位するように構成されている。そして、蓋部材２１ａが開位置にあるとき、上記二つの記録部のカードスロットの開口は外部に露呈して、当該各開口のそれぞれに対して記憶媒体２４ａ，２４ｂを挿入することができる。また、上記蓋部材２１ａが閉位置にあるとき（不図示）、上記各開口は蓋部材２１ａによって覆われて保護される状態となる。
【００３７】
第１表示部１６及び第２表示部１７は、上記上記撮像部１２によって取得された画像信号（画像情報）に基づく画像や設定メニューなどを表示するための構成部である。具体的には、第１表示部１６は小型表示パネルを用いて構成され、使用者（ユーザ）が覗き込むようにして利用されるいわゆる電子ビューファインダ形態の表示ユニットである。また、第２表示部１７は、当該撮像装置１０の上記筐体２１の背面に設けられ、上記第１表示部１６よりも大型の表示パネルを用いて構成されるいわゆる背面表示モニタ形態の表示ユニットである。この第２表示部１７は、通常状態では表示面が背面に向けて露呈するように配置されている。そして、上記第１表示部１６と上記第２表示部１７とは適宜切り換えて使用される。
【００３８】
なお、上記第２表示部１７の表示パネルの表示面上には、操作部材に含まれるタッチパネル１９が配設されている（図１、図２では不図示、図３参照）。このタッチパネル１９は、上記第２表示部１７の表示パネルを覆うように重畳した形態で配置されている。使用者（ユーザ）が、当該第２表示部１７の表示パネルの表示を、タッチパネル１９を介して指などによって触れると、タッチパネル１９からは所定の指示信号が発生するように構成されている。
【００３９】
本実施形態の撮像装置１０におけるタッチパネル１９自体は、従来の一般的な構成の撮像装置その他の形態の電子機器において具備されるものと同様のものが適用されているものとする。したがって、タッチパネル１９の構成の詳細な説明は省略する。
【００４０】
撮像装置１０の内部には、図３に示すように、画像処理制御部１１が設けられている。画像処理制御部１１は、当該撮像装置１０の全体を統括的に制御する制御回路からなる制御部と、上記撮像部１２によって取得された画像信号出力を受けて各種の信号処理を施す信号処理回路からなる信号処理部とによって構成される回路部である。画像処理制御部１１は、例えば電気基板上に実装される各種の電気部品の集積により構成される。
【００４１】
画像処理制御部１１は、図３に示すように、表示制御部１１ａと、操作判定部１１ｂと、記録制御部１１ｃと、撮像制御部１１ｅと、画像情報処理部１１ｆと、改竄防止部１１ｇとその他の回路部を有して構成されている。
【００４２】
表示制御部１１ａは、上記第１表示部１６及び第２表示部１７を駆動制御する回路部である。当該表示制御部１１ａは、画像情報処理部１１ｆによって生成されたデジタル画像データを受けて表示に適する形態の画像信号を生成し、上記第１表示部１６又は第２表示部１７のいずれかへ出力する。この場合において、表示制御部１１ａは、生成した表示用画像信号を上記第１表示部１６と第２表示部１７とのいずれへ出力するかなどの判定を行ったり、出力すべきと判定された方の表示部の駆動制御などを行う。
【００４３】
操作判定部１１ｂは、上記複数の操作部材のいずれかが使用者（ユーザ）によって操作されたとき、当該操作部１３から出力される所定の指示信号を受けて、その操作指示を判定するための回路部である。
【００４４】
記録制御部１１ｃは、複数の記録部１４のそれぞれを駆動制御するための回路部である。この記録制御部１１ｃは媒体判定部１１ｄを有している。この媒体判定部１１ｄは、第１記録部１４ａ及び第２記録部１４ｂの状態、即ち両記録部（１４ａ，１４ｂ）の各カードスロットへの記憶媒体の装着又は非装着状態の確認を行ったり、記憶媒体が装着されている場合には、装着されている記憶媒体の固有情報（例えば記録容量や読み書き速度などの性能情報，規格属性情報，固有番号情報（ユニークＩＤ）などの特性情報）を読み出す機能を有する。また、媒体判定部１１ｄは、記憶媒体から読み出した各種の情報や、設定されている撮像条件（動作モードなど），設定されている記録方法などの情報に基づいて、装着されている複数の記憶媒体のうち適切な記憶媒体を優先媒体として自動的に判定する機能も有している（詳細後述）。
【００４５】
撮像制御部１１ｅは、上記撮像部１２の駆動制御を行うと共に、当該撮像部１２から出力された画像信号を受けて所定の画像処理（前処理）を行う回路部である。撮像制御部１１ｅは、具体的には例えば、撮像素子１２ｂを駆動して光電変換処理を実行し、画像信号を取得する制御を行う。また、操作部１３からの所定の指示信号（例えば焦点調節指示信号や変倍指示信号）に応じて、撮像光学系１２ａの駆動制御（焦点調節動作や変倍動作など）を行う。
【００４６】
画像情報処理部１１ｆは、上記撮像制御部１１ｅにおいて前処理済みの画像信号を受けて、所定の画像情報処理（例えばデジタル化処理や表示用信号変換処理などのほか、記録用信号変換処理（データ圧縮処理などを含む）など）を行う情報処理部である。本実施形態においては、情報処理記録装置の一例として撮像装置１０を示している。したがって、当該撮像装置１０にて取り扱う情報は画像情報である。本実施形態の情報処理記録装置である撮像装置１０において、情報を処理する情報処理部は、画像情報を処理する画像情報処理部１１ｆが相当する。
【００４７】
改竄防止部１１ｇは、記録部１４（のカードスロット）に装着された記憶媒体が一回のみ書き込み可能な媒体（いわゆるライトワンスメモリカード）である場合に、その記憶媒体を制御するための回路部である。即ち、改竄防止部１１ｇは、例えば暗号化処理、改竄検出用ハッシュ関数の作成処理のほか、記録部１４との間で暗号化キーの通信を行って当該記録部１４のカードスロットに装着されている記憶媒体（ライトワンスメモリカード）への書き込み許可処理や書き込まれたデータのロック処理などを行なう。なお、メモリカードにおける改竄防止技術については、従来周知の技術を利用するものとして、これ以上の詳細な説明は省略する。
【００４８】
また、通信部２０は、当該撮像装置１０と外部機器との間で行うデータ通信を実行し、通信制御を行う回路部である。
【００４９】
なお、本実施形態の撮像装置１０は、図３において明示する構成部以外にも、種々の構成部を具備するものである。しかしながら、それら図示していないその他の構成部については、本発明に直接関連しない部分であるので図示を省略している。そして、それら不図示の構成部については、従来の一般的な構成の撮像装置と同様のものが適用されているものとして、その説明を省略する。
【００５０】
このように、主要部が構成された本実施形態の情報処理記録装置としての撮像装置１０の作用を、以下に説明する。図４〜図６は、本実施形態の情報処理記録装置（撮像装置）におけるメインフローチャートである。詳しくは、図４は当該メインフローチャートの主要部を示している。図５は図４の分岐符号Ａで示す分岐以降の処理を示している。図６は図４の分岐符号Ｂで示す分岐以降の処理を示している。なお、図５，図６の各処理シーケンスを実行後は、図４の分岐符号Ｃの分岐点に戻る処理となっている。
【００５１】
まず、本実施形態の撮像装置１０の操作部１３に含まれる複数の操作部材のうち電源オンオフスイッチに作用する操作部材が使用者（ユーザ）によって操作される。すると、操作部１３から電源オンを指示する指示信号が発生する。画像処理制御部１１（図３参照）は、当該電源オン信号を受けて、撮像装置１０の起動処理を実行する。これにより、当該撮像装置１０は使用可能状態となる（スタート；図４の処理シーケンスの開始）。
【００５２】
この状態にあるとき、画像処理制御部１１は、図４のステップＳ１において、現在設定されている動作モードが撮像モードであるか否かの確認を行う。ここで、現在撮像モードが設定されていることが確認された場合には、ステップＳ２の処理に進む。また、現在撮像モードが設定されていない、つまり撮像モード以外の動作モードが設定されていることが確認された場合には、図６のステップＳ４１の処理に進む（図４、図６の分岐符号Ｂ参照）。
【００５３】
ステップＳ２において、画像処理制御部１１は、撮像制御部１１ｅを介して撮像部１２の駆動制御を行うと共に、画像情報処理部１１ｆを制御してデジタル画像データを順次生成し、表示制御部１１ａを介して二つの表示部（１６，１７）のうちの一方の駆動制御を行ない、当該二つの表示部（１６，１７）のいずれか一方（選択されている方）に順次画像を表示させ続けるいわゆるライブビュー画像表示処理を実行する。当該ライブビュー画像表示処理は、これ以降、所定の処理（例えば撮像動作処理や再生動作処理、メニュー表示処理など）が割り込まれるまでの間、継続して実行される。その後、ステップＳ３の処理に進む。
【００５４】
ここで、上記ステップＳ２の処理（ライブビュー画像表示処理）の結果、本実施形態の撮像装置１０における表示部（１６，１７）の表示形態についての具体例を図７を用いて説明する。
【００５５】
図７において符号１０１で示す矩形状の枠線は、二つの表示部（１６，１７）の表示面における全表示領域を示すものとする（以下、表示領域１０１という）。当該撮像装置１０の使用時には、上記二つの表示部（１６，１７）は、上述したように、適宜切り換えることにより、いずれか一方を使用することになる。したがって、上記二つの表示部（１６，１７）は、同じ内容の表示を同様の形態で表示することができるように構成している。
【００５６】
表示領域１０１には、その全表示領域を使って、撮像部１２により生成された画像データに基づく画像が順次連続表示される（ライブビュー画像表示）。ここで、図７の符号２００は、例えば主要被写体を示している。そして、この図７の例では、主要被写体として人物像を表示している。
【００５７】
表示領域１０１の枠内において、例えば符号１０１ａで示す領域には、記憶可能な画像データ量に関する情報が表示されている（以下、領域情報１０１ａという）。この場合において、領域情報１０１ａは、上記ライブビュー画像の表示に重畳させて、表示領域１０１内の所定の領域に表示するようにしている。
【００５８】
図７に示す例では、上記領域情報１０１ａとして「１０２／１０１０」の数値を表示している。この場合の各数値の意味するところは、次の通りである。即ち、装着されている記憶媒体の記憶可能な「残容量（１０２）」と、装着されている記憶媒体の記憶可能な「総容量（１０１０）」と、を分数表示したものである。
【００５９】
このうち、記憶媒体の「残容量」は、装着されている記憶媒体に既に記憶済み画像データ量の情報と、同記憶媒体の総容量の情報とに基づいて算出される情報、即ち記憶媒体に記憶可能な領域の残り容量の情報であり、空き容量の情報に応じた数値情報である。即ち、記憶媒体の「残容量」の情報は、記憶媒体の「総容量」から記憶済み画像データ量を差し引いた残りの記録容量（空き容量）に対して記憶可能なデータ量の数値情報（静止画像データであれば残り枚数、動画像データであれば残り時間）を表す。
【００６０】
なお、上記「残容量」を、図７の符号１０１ａに示すように、具体的な数値（枚数又は時間）で表すためには、画質に関する設定値を考慮した演算処理が必要となる。個々の画像データ容量は、画像サイズや圧縮率などの設定条件によって増減するためである（詳細後述）。
【００６１】
記憶済み画像データ量及び記憶媒体の総容量についての各情報は、現在装着されている各記憶媒体（２４ａ，２４ｂ）から各記録部（１４ａ，１４ｂ）を介して読み込まれる情報である。
【００６２】
即ち、記憶済み画像データ量の情報は、例えば、二つの記録部の各カードスロットのそれぞれに記憶媒体が装着されている場合には、装着されている二つの記憶媒体に記憶済みの全画像データ量の合算容量、若しくは、装着されている二つの記憶媒体のうち参照している方の記憶媒体に記憶済みの画像データ量の情報である。また、現在二つの記録部の一方のみに記憶媒体が装着されている場合には、装着されている一つの記憶媒体の記憶済みの画像データ量、若しくは、参照している方の記録部に対応する記憶済みの画像データ量（参照設定が記憶媒体の装着されていない方の記録部の場合には、データ量は「ゼロ」となる）の情報である。
【００６３】
なお、二つの記録部のいずれにも記憶媒体が装着されていない場合には、データ量を「ゼロ」とする形態でもよいし、内部メモリ２４ｃの記憶済み画像データ量を参照してもよい。
【００６４】
一方、「総容量」の情報は、現在装着されている記憶媒体の規定の記録容量に関する情報である。即ち、記憶媒体の「総容量」の情報は、複数の記録部１４の各カードスロットのそれぞれに装着されている記憶媒体（２４ａ，２４ｂ）の規定の記録容量の総容量に対して記憶可能なデータ量の数値情報（静止画像データであれば残り枚数、動画像データであれば残り時間）を表す。
【００６５】
なお、上記「総容量」を、図７の符号１０１ａに示すように、具体的な数値（枚数又は時間）で表すためには、画質に関する設定値を考慮した演算処理が必要となるのは、上述の「残容量」と同様の理由による。
【００６６】
ここで、画質に関する設定情報としては、記録する画像データファイルの種類の設定、例えば、非圧縮データ又は可逆圧縮データ（例えばＲＡＷ（未加工）データ；以下、単に非圧縮データという）のみを記録する設定、非圧縮データと圧縮データ又は非可逆圧縮データ（例えばＪＰＥＧ（Joint Photographic Experts Group）データ；以下、単に圧縮データという）との両方を記録する設定、圧縮データのみを記録する設定などである（図１０参照）。
【００６７】
なお、動画撮像モードの場合の画質に関する設定では、非圧縮データと圧縮データとの両方を記録する設定は通常の場合、用意されていないことが多い。動画像データは記録容量を多く必要とするためである。したがって、動画撮像モード場合の画質に関する設定では、非圧縮データと圧縮データとのいずれか一方を記録する設定のみとなる（図１０参照）。
【００６８】
またさらに、上記圧縮データを記録する設定を含む場合において、圧縮データに関する画質の設定として、例えば、横縦のピクセル（画素）数で表される画像サイズ（例えばＬ(Large)，Ｍ(Medium)，Ｓ(Small)の三種類）と、圧縮率（例えばＳＦ(SuperFine)，Ｆ(Fine)，Ｎ(Normal)，Ｂ(Basic)の四種類）との組み合わせによる設定がある（図１１参照）。
【００６９】
なお、ここで挙げた例示は静止画像撮像モード時の画質設定例である。動画撮像モード時の画質設定については、これらとは別に、画像サイズ（FullHD(high definition)，HD(high definition)，SD(standard definition)など）とフレームレートなどのほか、圧縮ファイルフォーマットなどの設定があるが、繁雑になるので具体的な例示は省略し、従来一般に用いられている形態のものが適用されているものとする。
【００７０】
使用者（ユーザ）は、当該撮像装置１０を用いて撮像動作を実行するためには、撮像動作を行う前に、予め画質に関する設定の操作を行っておく必要がある。
【００７１】
図７に示す例では、「残容量」と「総容量」とを分数によって表示する例を示しているが、この表示形態に限られることはない。例えば、「残容量」のみを表示する形態であってもよい。
【００７２】
なお、上記表示領域１０１ａの表示形態において、静止画撮像モードの場合は整数表示とする。その整数の数値は撮像可能な残り枚数を表す数値である。また、動画撮像モードの場合における上記表示領域１０１ａの表示形態としては、例えば「時：分：秒」といった形態とする。この表示形態は録画可能な残り時間を表す数値である。
【００７３】
このように、図７の表示領域１０１ａに表示される記憶可能な画像データ量の数値は、残り枚数，残り時間とすると、撮像動作が進行するのに伴って当該数字は減算表示されることになる。
【００７４】
次に、図７において符号１０１ｂで示す領域には、二つの記録部（１４ａ，１４ｂ）の現在の状態が表示される。即ち、図７の符号１０１ｂで示す第１状態表示領域１０１ｂには、二つの記録部（１４ａ，１４ｂ）への記憶媒体の装着又は非装着の状態表示などがなされる。この第１状態表示領域１０１ｂの表示形態としては、例えば「ダブルスロット」＝二つの記録部（１４ａ，１４ｂ）の両方に記憶媒体（２４ａ，２４ｂ）が装着されている状態（図７に示す例示）、「第１スロット」＝二つの記録部のうちの一方の第１記録部１４ａに記憶媒体が装着されている状態、「第２スロット」＝二つの記録部のうちの他方の第２記録部１４ｂに記憶媒体が装着されている状態、「記憶媒体がありません」＝二つの記録部のいずれにも記憶媒体が装着されていない状態でかつ内部メモリを具備していない状態（又は設定によって内部メモリを参照しない設定とした場合）、「内部メモリ」＝内部メモリを具備しており、内部メモリを参照する設定とした状態、若しくは内部メモリを具備し、かつ二つの記録部のいずれにも記憶媒体が装着されていない状態などがある。
【００７５】
図７に示す例では、当該第１状態表示領域１０１ｂには「ダブルスロット」との表示がなされており、二つの記録部（１４ａ，１４ｂ）のそれぞれには各対応する記憶媒体（２４ａ，２４ｂ）がそれぞれに装着されていることを示している。
【００７６】
また、図７において符号１０１ｃで示す領域には、複数の記録部１４のうちのいずれを優先的に使用するかを設定する「優先使用設定」の設定状態が表示される。例えば、図７の符号１０１ｃで示す第２状態表示領域１０１ｃの表示形態としては、例えば「優先スロット１」＝優先して使用する記録部を第１記録部１４ａのカードスロットに装着された記憶媒体であると設定されている状態、「優先スロット２」＝優先して使用する記録部を第２記録部１４ｂのカードスロットに装着された記憶媒体であると設定されている状態、「優先内部メモリ」＝優先して使用する記録部を内部記録部１４ｃの内部メモリ２４ｃであると設定されている状態、などがある。
【００７７】
図７において符号１０１ｃで示す領域には、現在設定されている「優先媒体」の設定状態を示している。この「優先媒体」の設定は、後述する図５のステップＳ３１以降の処理において設定される項目である。具体的には、図７に示す例では、「優先媒体」として「スロット１」（第１記録部１４ａのカードスロット）に装着されている第１記憶媒体２４ａが設定されている旨を示す「優先スロット１」との表示がなされている。なお、優先媒体の状態を示す領域１０１ｃには、この例のほか、「優先媒体」として「スロット２」（第２記録部１４ｂ）に装着されている第２記憶媒体２４ｂが設定されていることを示す優先スロット２」との表示、「優先媒体」として改竄防止機能を有する記憶媒体を設定されている場合の「改竄防止」との表示、などの表示例が考えられる。
【００７８】
以上の説明により、図７に示すライブビュー画像表示の例においては、二つの記録部（１４ａ，１４ｂ）のいずれにも記憶媒体が装着されおり（符号１０１ｂの「ダブルスロット」表示）、「優先媒体」として「第１スロット」（第１記録部１４ａ）の第１記憶媒体２４ａを設定しており（符号１０１ｃの「優先スロット１」表示）、この第１記憶媒体２４ａは、全容量が画像データ「１０１０」枚分の容量（所定のサイズ，圧縮率の場合）を有し、現時点において撮像可能な残り数が「１０２」であることを示している。
【００７９】
図４に戻って、同図４のステップＳ３において、画像処理制御部１１は、記録制御部１１ｃの媒体判定部１１ｄを介して二つの記録部、即ち第１記録部１４ａと第２記録部１４ｂとのそれぞれ（のカードスロット）に記憶媒体２４ａ，２４ｂがそれぞれ挿入（装着）されているか否かの確認を行う。ここで、二つの記憶媒体（２４ａ，２４ｂ）が各記録部（１４ａ，１４ｂ）のそれぞれに装着されていることが確認された場合には、次のステップＳ４の処理に進む。また、二つの記憶媒体（２４ａ，２４ｂ）が装着されていない、つまり一方の記録部（のカードスロット）のみ若しくはいずれの記録部（のカードスロット）にも記憶媒体が装着されていないことが確認された場合には、ステップＳ５の処理に進む。
【００８０】
ステップＳ４において、画像処理制御部１１は、二つの記憶媒体（２４ａ，２４ｂ）を用いて記録を行う際の記録方法が設定済みであるか否かの確認を行う。ここで、記録方法が設定済みであることが確認されると、次のステップＳ５の処理に進む。また、記録方法が設定済みではないこと、即ち未設定であることが確認されると、次のステップＳ７の処理に進む。
【００８１】
上述のステップＳ４の処理にて、記録方法が未設定であることが確認されて、ステップＳ７の処理に進むと、このステップＳ７において、画像処理制御部１１は、二つの記憶媒体（２４ａ，２４ｂ）を用いて記録を行う際の記録方法が未設定である旨の警告を行う。ここで行われる警告は、例えば表示制御部１１ａを介して第１表示部１６又は第２表示部１７を用いて行う表示警告や、不図示のスピーカなどの発音部材を用いた警告音、不図示の発光ダイオード（Light Emitting Diode：ＬＥＤ）などの発光部材を用いた警告灯の点灯若しくは点滅表示、その他の形態が考えられる。
【００８２】
続いて、ステップＳ８において、画像処理制御部１１は、二つの記憶媒体（２４ａ，２４ｂ）を用いて記録を行う際の記録方法の設定処理（以下、記録方法設定処理という）を実行する。この記録方法設定処理の概略は、例えば、次のような処理である。
【００８３】
即ち、画像処理制御部１１は、内部記憶部（ＲＯＭなど；不図示）などに予め記録済みの各種のメニュー情報から記録方法設定処理に関する設定項目一覧表示情報を読み出す。次いで、画像処理制御部１１は、表示制御部１１ａを介して第１表示部１６又は第２表示部１７を駆動して、上記設定項目の一覧表示を行う。使用者（ユーザ）は、この設定項目一覧表示を見ながら、所定の操作部材（操作部１３）を用いて所望の設定項目を選択し、設定する操作を行う（手動操作）。すると、画像処理制御部１１は、操作判定部１１ｂを介して操作部１３からの操作指示信号を受けて、受信した操作指示信号に対応する設定を行う。記録方法設定処理は、このような一連の処理である。そして、画像処理制御部１１は、操作判定部１１ｂを介して操作部１３からの設定処理終了指示信号を受けると、次のステップＳ６の処理に進む。
【００８４】
ここで、上記ステップＳ８の記録方法設定処理にて設定される記録方法としては次の通りである。本実施形態の撮像装置１０においては、上述したように、複数の記録部１４（１４ａ，１４ｂ，１４ｃ）を有して構成されている。このうち二つの記録部、即ち第１記録部１４ａ及び第２記録部１４ｂには、それぞれに記憶媒体２４を挿き抜しし得る形態のカードスロットを有して構成されていることも上述した通りである。そして、本撮像装置１０は、これら二つのカードスロットのそれぞれに記憶媒体２４を装着した状態で使用することができる。したがって、本撮像装置１０にて撮像動作を行って取得された画像データを、上記二つの記憶媒体２４を利用して記録するのに際しては、各種の形態の記録方法が考えられる。例えば、二つの記憶媒体２４のそれぞれに同時に記録動作を行う「同時記録」と、二つの記憶媒体２４のうち一方（例えば第１記憶媒体２４ａ）から順次記録を行なって、当該一方（第１記憶媒体２４ｂ）が書き切れなくなったら、続けて他方（第２記憶媒体２４ｂ）へと順次記録動作を続行する「順次記録」、などがある。さらに、「同時記録」の設定には、例えば、二つの記憶媒体２４のそれぞれに同一内容の記録動作を行う「同一内容同時記録」と、二つの記憶媒体２４のうち一方（例えば第１記憶媒体２４ａ）に所定の形態のデータ（例えば非圧縮データ）の記録動作を行なうと共に、他方（例えば第２記憶媒体２４ｂ）には別の形態のデータ（例えば圧縮データ）の記録動作を行う「分割記録」、などがある（図１２参照）。
【００８５】
図１４は、本実施形態の撮像装置の二つの記録部のカードスロットにそれぞれ装着された各記憶媒体に対し「分割記録」を行った際のようすを概念的に示す図である。
【００８６】
即ち、図１４において、第１記録部１４ａのカードスロットに第１記憶媒体２４ａが装着され、第２記録部１４ａのカードスロットに第２記憶媒体２４ｂが装着されている状態を示しているものとする。この状態において、「同時記録」の設定でかつ「分割記録」の設定がなされているものとする。
【００８７】
図１４は、このような設定の撮像装置１０を用いて撮像動作を行う際に、非圧縮データのみを取得する設定と、圧縮データのみを取得する設定とを、適宜切り換えて行った場合の二つの記憶媒体（２４ａ，２４ｂ）のファイル構造を示す。
【００８８】
図１４において符号１２４ａ，１２４ｂで示す枠内には、第１記憶媒体２４ａ及び第１記憶媒体２４ｂのファイル構造を示している。このファイル構造自体は、一般的な形態のカメラファイルシステムと同様のものである。
【００８９】
即ち、「ＤＣＩＭ」はルートディレクトリに置かれるフォルダ名である。この「ＤＣＩＭ」フォルダの下層に「１００ＯＬＹＭＰ」フォルダがある。この「１００ＯＬＹＭＰ」は、「１０１ＯＬＹＭＰ」，「１０２ＯＬＹＭＰ」のように、上三桁の数字を変えたフォルダ名を作成し得る。そして、この「１００ＯＬＹＭＰ」フォルダ内に画像データが格納される。
【００９０】
個々の画像データのファイル名は、図１４に示すように、「Ｐ４１８０００１．ＯＲＦ」，「Ｐ４１８０００４．ＪＰＧ」などである。この場合において、ファイル名は、「Ｐｘｘｘｎｎｎｎ．ｍｍｍ」の形態となっている。ここで、「ｘｘｘ」は月日を表し、「ｎｎｎｎ」は通し番号（０００１〜９９９９）を表し、「ｍｍｍ」は拡張子である。「ｘｘｘ」のうち最初の一桁が月（１〜９，ａｂｃ）を、下の二桁が日（１〜３１）を表すものとする。拡張子「ｍｍｍ」は、非圧縮データ（ＲＡＷデータ）の拡張子を「ＯＲＦ」とし、圧縮データ（ＪＰＥＧデータ）の拡張子を「ＪＰＧ」としている。
【００９１】
そして、図１４に示す例では、第１記録部１４ａの第１カードスロットに装着された第１記憶媒体２４ａは大容量仕様の媒体であり、第２記録部１４ｂの第２カードスロットに装着された第２記憶媒体２４ｂは小容量仕様の媒体であるものとする。この場合において、静止画撮像モードによる撮像動作を行い、かつ非圧縮データのみを取得する撮像と、圧縮データのみを取得する撮像とを、適宜切り換えて行った場合、本実施形態の撮像装置１０においては、第１記憶媒体２４ａには非圧縮データが記録され、第２記憶媒体２４ｂには圧縮データが記録されることになる。この場合、撮像毎に生成される画像データのファイル名における「番号」は、二つの記憶媒体で重複が生じないように振られている。
【００９２】
図１４は、上述のような撮像動作を行った際の二つの記憶媒体のファイル構造の例示である。図１４に示すように、最初の３回の撮像動作では、第１記憶媒体２４ａに対し非圧縮データが取得されている（「０００１〜０００３」の「ＯＲＦ」ファイル）。続く４回目の撮像動作にて、第２記憶媒体２４ｂに対し圧縮データが取得されている（「０００４」の「ＪＰＧ」ファイル）。続いて５回目の撮像動作にて、第１記憶媒体２４ａに対し非圧縮データが取得されている（「０００５」の「ＯＲＦ」ファイル）。さらに続く６，７回目の撮像動作にて、第２記憶媒体２４ｂに対し圧縮データが取得されている（「０００６，０００７」の「ＪＰＧ」ファイル）。続いて８回目の撮像動作にて、第１記憶媒体２４ａに対し非圧縮データが取得されている（「０００８」の「ＯＲＦ」ファイル）。このような具合に、各記憶媒体に対して各対応する画像データが適宜自動的に記録される。
【００９３】
図４に戻る。上述したように、ステップＳ４の処理にて記録方法が設定済みであることが確認された場合、及び上述のステップＳ３の処理にて二つの記憶媒体（２４ａ，２４ｂ）が装着されていないことが確認された場合に、ステップＳ５の処理に進む。すると、このステップＳ５において、画像処理制御部１１は、撮像条件が設定済みであるか否かの確認を行う。ここで、撮像条件が設定済みであることが確認された場合には、ステップＳ６の処理に進む。また、撮像条件が設定されていない（未設定である）ことが確認された場合には、ステップＳ９の処理に進む。
【００９４】
ステップＳ９において、画像処理制御部１１は撮像条件の設定処理を実行する。ここで、撮像条件とは、撮像モード時における各種の設定、例えば動作モード設定情報（例えば静止画撮像（Still image shooting）モードと動画撮像（Movie shooting）モード，静止画撮像モード時の連写（Continuous shooting）モード，動画撮像モード時の高速度撮像（High-speed imaging）モードなどのほか、改竄防止モードなどの特殊モードなど動作形態の設定情報）のほか、撮像に関する各種項目の設定（例えば露出モード，ＩＳＯ感度，ホワイトバランスなどの一般的な項目設定）などである。
【００９５】
撮像条件設定処理は、第１表示部１６又は第２表示部１７に設定メニューを表示し、使用者（ユーザ）による操作部材（操作部１３）の操作により生じる指示信号に基づいて行われる処理である。撮像条件設定処理の具体的な一連の作用は、上述した記録方法設定処理と略同様である。そして、画像処理制御部１１は、操作判定部１１ｂを介して操作部１３から設定処理終了指示信号を受けると、次のステップＳ６の処理に進む。
【００９６】
ステップＳ６において、画像処理制御部１１は、二つの記憶媒体を用いる記録方法の設定が「同時記録」に設定されているか否かを確認する。ここで、「同時記録」に設定されていることが確認されると、次のステップＳ１０の処理に進む。また、「同時記録」以外に設定されていることが確認されると、図５のステップＳ３１（図４、図５の分岐符号Ａ）の処理に進む。
【００９７】
ステップＳ１０において、画像処理制御部１１は、二つの記憶媒体（２４ａ，２４ｂ）のそれぞれに対して同一内容の記録を同時に行う「同一内容同時記録」が設定されているか否かの確認を行う。ここで、「同一内容同時記録」の設定が確認されると、次のステップＳ１１の処理に進む。また、「同一内容同時記録」の設定が確認されない場合には、ステップＳ２１の処理に進む。
【００９８】
ステップＳ１１において、画像処理制御部１１は、二つの記憶媒体（２４ａ，２４ｂ）に対する同一内容の同時記録ができる状態にあるか否かの確認を行う。ここで、二つの記憶媒体（２４ａ，２４ｂ）に対して同一内容の同時記録ができない状態とは、例えば、二つの記録部（１４ａ，１４ｂ）の一方又は両方に記憶媒体が装着されていない（二つの記憶媒体（２４ａ，２４ｂ）が存在しない）場合のほか、二つの記録部（１４ａ，１４ｂ）のそれぞれに記憶媒体（２４ａ，２４ｂ）が装着されている状態であっても、一方若しくは両方の記憶媒体の記憶可能容量に不足がある（空き容量不足である）場合等が想定される。
【００９９】
上記ステップＳ１１の処理にて、二つの記憶媒体（２４ａ，２４ｂ）に対し同一内容の同時記録ができない状態であることが確認されると、ステップＳ１２の処理に進む。また、二つの記憶媒体（２４ａ，２４ｂ）に対し同一内容の同時記録ができる状態であることが確認された場合には、ステップＳ１３の処理に進む。
【０１００】
ステップＳ１２において、画像処理制御部１１は、例えば表示制御部１１ａを介して第１表示部１６又は第２表示部１７を駆動して、所定の警告表示処理を実行する。ここで、処理シーケンスは一時中断する。
【０１０１】
この場合において、警告表示を見た使用者（ユーザ）は、二つの記憶媒体に対する同一内容同時記録処理を行ない得る状態とするための何らかの措置（例えば、二つの記録部のそれぞれに記憶媒体を装着する、又は二つの記録媒体の残容量を確認して充分な空き容量を確保する（記録媒体の交換又は記録済みデータの削除など）、若しくは使用を中止するなどの措置）を行うことになる。そうして、二つの記憶媒体に対する同一内容同時記録が可能な状態となれば、中断していた処理シーケンスは、ステップＳ１３の処理へと進む。
【０１０２】
ステップＳ１３において、画像処理制御部１１は、操作判定部１１ｂを介して操作部１３からの操作指示信号を監視して、所定の撮像操作（例えばシャッタレリース操作など）に対応した撮像開始指示信号が発生したか否かの確認を行う。ここで、撮像開始指示信号の発生が確認された場合には、次のステップＳ１４の処理に進む。また、撮像操作指示信号の発生が（所定の時間内で）確認されない場合には、上述のステップＳ１の処理に戻り、以降の処理を繰り返す。
【０１０３】
ステップＳ１４において、画像処理制御部１１は、通常の撮像処理を実行し、当該撮像処理によって取得された画像データを一時メモリ（不図示）に保存すると共に、当該画像データに基づいてデータ圧縮処理を実行する。同時に、二つの表示部（１６，１７）のいずれか一方で継続していたライブビュー画像表示に換えて、取得した画像データに基づく画像を同表示部を用いて所定時間だけ表示する表示処理を実行する。その後、ステップＳ１５の処理に進む。
【０１０４】
ステップＳ１５において、画像処理制御部１１は、記録制御部１１ｃを介して第１記録部１４ａ及び第２記録部１４ｂを駆動して、上記二つの記憶媒体（２４ａ，２４ｂ）に対する記録処理、即ち同一内容同時記録処理を実行する。これにより、二つの記憶媒体（２４ａ，２４ｂ）のそれぞれには同じ内容の画像データが記録される。その後、上述のステップＳ１の処理に戻り、以降の処理を繰り返す。
【０１０５】
なお、上記ステップＳ１５における同一内容同時記録処理においては、例えば取得した静止画撮像データに関する非圧縮データと圧縮データとの一組のデータを、二つの記憶媒体（２４ａ，２４ｂ）のそれぞれに同時に記録するようにしてもよいし、取得した静止画撮像データの圧縮データのみを、二つの記憶媒体（２４ａ，２４ｂ）のそれぞれに同時に記録するようにしてもよい。また、取得した静止画撮像データの非圧縮データのみを、二つの記憶媒体（２４ａ，２４ｂ）のそれぞれに同時に記録するようにしてもよい。この場合には、ステップＳ１４におけるデータ圧縮処理を省略してもよい。
【０１０６】
一方、上述のステップＳ１０の処理にて、「同一内容同時記録」の設定が確認されない場合に、ステップＳ２１の処理に進むと、このステップＳ２１において、画像処理制御部１１は、二つの記憶媒体（２４ａ，２４ｂ）に対する同一内容の同時記録ができる状態にあるか否かの確認を行う（上記ステップＳ１１と同様の処理）。ここで、同時記録ができないことが確認されると、次のステップＳ２２の処理に進む。また、同時記録できることが確認された場合には、ステップＳ２３の処理に進む。
【０１０７】
ステップＳ２２において、画像処理制御部１１は、例えば表示制御部１１ａを介して第１表示部１６又は第２表示部１７を駆動して、所定の警告処理を実行する。その後、ステップＳ２３の処理に進む（詳細は上記ステップＳ１２の処理と同様）。
【０１０８】
ステップＳ２３において、画像処理制御部１１は、操作判定部１１ｂを介して操作部１３からの操作指示信号を監視して、所定の撮像操作（例えばシャッタレリース操作など）に対応した撮像開始指示信号が発生したか否かの確認を行う。ここで、撮像開始指示信号の発生が確認された場合には、次のステップＳ２４の処理に進む。また、撮像開始指示信号の発生が（所定の時間内で）確認されない場合には、上述のステップＳ１の処理に戻り、以降の処理を繰り返す（上記ステップＳ１３の処理と同様）。
【０１０９】
ステップＳ２４において、画像処理制御部１１は、通常の撮像処理を実行する（上記ステップＳ１４の処理参照；但し、当該ステップＳ２４の処理においてはデータ圧縮処理は含まない）。その後、ステップＳ２５の処理に進む。
【０１１０】
ステップＳ２５において、画像処理制御部１１は、記録制御部１１ｃを介して二つの記録部（１４ａ，１４ｂ）のうちの一方を駆動して、対応する記憶媒体への記録処理（例えば、取得した画像データの非圧縮データの記録処理）を行うと共に、取得した画像データ（非圧縮データ）に対し画像情報処理部１１ｆを介してデータ圧縮処理を実行する。その後、ステップＳ２６の処理に進む。
【０１１１】
続いて、ステップＳ２６において、画像処理制御部１１は、記録制御部１１ｃを介して二つの記録部（１４ａ，１４ｂ）のうちの他方を駆動して、対応する記憶媒体への記録処理（例えば、上記ステップＳ２５の処理にてデータ圧縮処理済みの圧縮データの記録処理）を実行する。その後、上述のステップＳ１の処理に戻り、以降の処理を繰り返す。これにより、二つの記憶媒体（２４ａ，２４ｂ）のうちの一方には、例えば取得した画像データの非圧縮データが記録され、二つの記憶媒体（２４ａ，２４ｂ）のうちの他方には、例えば取得した画像データの圧縮データが記録される。その後、上述のステップＳ１の処理に戻り、以降の処理を繰り返す。
【０１１２】
他方、上述の図４のステップＳ６にて、二つの記憶媒体を用いる記録方法の設定が「同時記録」以外である場合に、図５のステップＳ３１の処理（図４、図５の分岐符号Ａ）に進んだ場合の処理シーケンスは以下の通りである。
【０１１３】
図５のステップＳ３１において、画像処理制御部１１は、撮像データを記録する際に複数の記録部（１４ａ，１４ｂ，１４ｃ）に各対応する複数の記憶媒体（２４ａ，２４ｂ，２４ｃ）のうちのいずれを優先して使用するかの設定（以下、優先媒体設定処理という）を行うか否かの確認を行う。
【０１１４】
即ち、図５のステップＳ３１の処理においては、画像処理制御部１１は、まず、例えば内部記憶部（ＲＯＭ等；不図示）等に予め記録済みの各種のメニュー情報から、優先媒体設定処理に関する設定項目表示情報を読み出す。次いで、画像処理制御部１１は、表示制御部１１ａを介して第１表示部１６又は第２表示部１７を駆動して、優先媒体設定処理を行うか否かを確認する旨の表示を行う。図８，図９は、優先媒体設定処理における確認画面の例示である。使用者（ユーザ）は、所定の操作部材（操作部１３）を用いて所望の項目を選択する操作を行う。画像処理制御部１１は、操作判定部１１ｂを介して操作部１３からの操作指示信号を受けて、その操作指示信号に対応する設定処理を行う。その後、画像処理制御部１１は、操作判定部１１ｂを介して操作部１３から設定処理終了指示信号を受けると、次のステップＳ３３の処理に進む。
【０１１５】
即ち、図８において、符号１０１で示す矩形状の枠線は、図７と同様に表示領域を示す。この表示領域１０１にはライブビュー画像が表示されている。また、表示領域１０１の枠内において、領域情報１０１ａには、図７と同様に、記憶媒体の「残容量」についての情報が表示されている。
【０１１６】
図８において符号１０１ｂで示す表示領域には、本表示例における確認事項の表示、即ち「優先媒体設定」の処理を行うか否かを確認する旨の表示（「優先媒体設定？」）がなされている。また、符号１０１ｃ，１０１ｄで示す表示領域には、使用者（ユーザ）の意志を確認するための表示、即ち表示領域１０１ｄには「Ｙ」(YES；はい)の表示が、表示領域１０１ｃには「Ｎ」(NO；いいえ)の表示がそれぞれなされている。使用者（ユーザ）は、所定の操作部材（例えばタッチパネル１９など）を操作することによって、上記表示領域１０１ｃ，１０１ｄのうちの一方の表示を選択する。
【０１１７】
使用者（ユーザ）が上記表示領域１０１ｃ，１０１ｄの何れかを選択すると、図９に示すような表示に切り換わる。図９の表示例は、使用者（ユーザ）が表示領域１０１ｄの「Ｙ」を選択する操作を行った場合を示している。
【０１１８】
即ち、使用者（ユーザ）が図８の状態において、表示領域１０１ｄの「Ｙ」を選択する操作を行うと、図５のステップステップＳ３２の処理に進む。また、優先媒体の設定が既に処理済みであるなどの理由で、優先媒体設定処理を行わない場合、使用者（ユーザ）は、図８の表示領域１０１ｃの「Ｎ」を選択する操作を行う。この場合には、図５のステップＳ３３の処理に進む。
【０１１９】
ここで、ステップＳ３２の優先媒体設定処理の概要を説明する。上述のようにして、使用者（ユーザ）が表示領域１０１ｄの「Ｙ」を選択する操作を行うと、図８の表示領域１０１ｄの表示は、例えば反転表示に切り換わる。図９においては、領域１０１ｄの枠内にハッチングを施すことによって反転表示を示している。また、表示領域１０１ｃには、優先媒体として推奨する記録媒体が装着されている方の記録部のカードスロットを示す表示に切り換わる。図９の例では、第２記録部１４ｂのカードスロット（図９ではスロット２と図示）を推奨する旨の表示がなされている例を示している。
【０１２０】
この場合において、推奨する優先媒体の判定は、次のようにして行われる。即ち、上述したように、画像処理制御部１１の記録制御部１１ｃの媒体判定部１１ｄは、複数の記録部に装着された記憶媒体から各種の情報を読み込み保持している。そこで媒体判定部１１ｄは、装着された記録媒体から読み出した情報（記録容量，読み書き速度などの性能情報，規格属性情報，固有番号情報（ユニークＩＤ）などの固有情報）と、設定されている撮像条件のうちの動作モード情報（例えば静止画撮像モード，動画撮像モードのほか、連写モード，改竄防止モードなど）などの情報と、記録画像データの画質に関する設定の情報（非圧縮データ記録か圧縮データ記録か又は両方記録か、また圧縮データの圧縮率や画像サイズなどの情報）と、記録方法の設定の情報、などを考慮して、設定されている状態に適した優先媒体の判定を行う（図１３参照）。例えば、静止画撮像モードが設定されている場合において、非圧縮データと圧縮データとを両方ともに記録する設定がなされている場合（かつ同時記録ではない場合（ステップＳ６で「Ｎ」分岐））には、装着されている二つの記憶媒体のうち大容量仕様の記憶媒体又は空き容量の大きい方の記憶媒体を優先媒体として設定する。
【０１２１】
また、静止画撮像モードでかつ連写モードが設定されている場合や動画撮像モード（特に高速度撮像モード時）が設定されている場合には、容量よりも高速書き込み性能を重視して、装着されている二つの記憶媒体うち高速読み書き可能な方の記憶媒体を優先媒体として設定する。なお、優先媒体として設定される方の記憶媒体には、空き容量が充分に存在することを前提としてもよい。即ち、装着されている二つの記憶媒体が、例えば高速読み書き可能で空き容量が少ない記憶媒体と、読み書き性能は低いが空き容量が多い記憶媒体とである場合、前者を選択するように構成してもよいし、後者を選択するように構成してもよい。
【０１２２】
一方、改竄防止モードが設定されている場合には、装着された二つの記憶媒体のうち改竄防止モードに対応した記憶媒体を優先媒体として設定する。この場合、静止画撮像モード，動画撮像モードのいずれが設定されていても同様である。
【０１２３】
また、改竄防止モードの設定状態に関わらず、装着された記憶媒体が改竄防止モードに対応する記憶媒体であった場合には、動作モードを改竄防止モードに切り換える制御を行うようにしてもよい。この場合、動作モードの設定は、静止画撮像モード，動画撮像モードのいずれに設定されている場合でも同様である。
【０１２４】
なお、上記改竄防止モードとは、改竄防止技術を利用して記録行う動作モードである。即ち、改竄防止モードは、書き込み動作を一回のみに限定し、かつ記憶媒体に書き込まれた画像データに対する編集や加工及び消去等の改竄処理を不可能とする動作モードである。したがって、この改竄防止モードによる動作を確保するためには、改竄防止機能に対応した特殊タイプのメモリカード、いわゆるワンタイムメモリカードなどと呼ばれる記憶媒体が必要である。
【０１２５】
他方、記録方法として「順次記録」が設定されている場合には、大容量仕様の記憶媒体又は空き容量の多い記憶媒体が優先媒体として設定される。
【０１２６】
さらに、取得したデータ種別（例えば非圧縮データ，圧縮データの別）に応じて記録する記憶媒体を切り換えるようにしてもよい。例えば、非圧縮データを取得した場合には、大容量仕様の記憶媒体又は空き容量が多い記憶媒体へ記録する、圧縮データを取得した場合には、小容量仕様の記憶媒体又は空き容量が少ない記憶媒体へ記録する。そして、静止画撮像モードが設定されている場合において、非圧縮データと圧縮データとを両方ともに記録する設定であって（かつ同時記録ではなく（ステップＳ６で「Ｎ」分岐））、非圧縮データと圧縮データとをそれぞれ別の記憶媒体に記録する設定の場合には、装着されている二つの記憶媒体のうち大容量仕様又は空き容量の大きい方の記憶媒体を非圧縮データ記録用の優先媒体として設定し、他方（小容量仕様又は空き容量の小さい方）の記憶媒体を圧縮データ記録用の優先媒体として設定する。
【０１２７】
以上を簡単に整理すると、静止画像データの記録時において、非圧縮データを記録するためには記録容量が最も重視される。これに加えて、書き込み速度がより高速であればなお望ましい。また、静止画像データの記録時であって、連続撮像動作を行って大量の圧縮データを記録する連写モード時には、書き込み速度が重視される。さらに、これに加えて記録容量が大容量であればなお望ましい。他方、動画像データの記録時には、書き込み速度が高速な記憶媒体が望ましい。なお、これに加えて記録容量が大きいものが、より望ましい。
【０１２８】
上述した優先媒体設定処理（図５のステップＳ３２）は、図８の表示状態において、使用者（ユーザ）が領域１０１ｄを選択する操作を行うことによって実行される。すると、画像処理制御部１１の記録制御部１１ｃの媒体判定部１１ｄは、装着されている記憶媒体の状態や、当該撮像装置１０に設定されている設定状態に応じて、自動的に優先媒体として推奨する記憶媒体のあるカードスロットを判定し、表示する。その後、使用者（ユーザ）は所定の操作部材（例えばＯＫボタン；不図示）などを操作することにより、当該撮像装置１０における優先媒体設定処理を終了させて、通常の撮像動作モードに復帰させ得る。
【０１２９】
なお、これら一連の優先媒体設定処理とは別に、使用者（ユーザ）が優先媒体を手動設定することも可能である。その際の操作は、従来一般の撮像装置におけるメニュー表示に従った操作方法が適用される。そして、同様の操作によって、優先媒体設定処理が終了する。その後、ステップＳ３３の処理に進む。
【０１３０】
ステップＳ３３において、画像処理制御部１１は、記録制御部１１ｃの媒体判定部１１ｄを介して第１記録部１４ａ及び第２記録部１４ｂのそれぞれに装着されている記憶媒体（２４ａ，２４ｂ）を確認して、現在優先媒体として設定されている記憶媒体が使用できる状態にあるか否かの確認を行う。ここで、記憶媒体が使用できない状態とは、例えば、二つの記録部（１４ａ，１４ｂ）に装着されている二つの記憶媒体（２４ａ，２４ｂ）の記憶可能領域の不足（空き容量不足）である場合等が想定される。ここで、記憶媒体が使用できる状態であることが確認された場合には、ステップＳ３５の処理に進む。また、記憶媒体が使用できない状態であることが確認された場合には、次のステップＳ３４の処理に進む。
【０１３１】
ステップＳ３４において、画像処理制御部１１は、記憶媒体が使用できない状態であることを、使用者（ユーザ）に対し報知するための警告表示と指示表示を行う処理（警告指示表示処理という）を実行する。この警告指示表示処理は、例えば記憶媒体が使用できない状態にある旨の警告表示を行うと同時に、使用できる状態にするための対処方法のアドバイス表示（例えば優先媒体設定の変更を促すアドバイス表示など）や、若しくは装着されている記憶媒体を取り外して適切な記憶媒体を装着する旨を促すアドバイス表示等の表示処理を行う。その後、撮像装置１０は待機状態となり、ステップＳ３５の処理に進む。使用者（ユーザ）は、この待機状態の間に、所定の対処操作等を行うことができる。
【０１３２】
ステップＳ３５において、画像処理制御部１１は、操作判定部１１ｂを介して操作部１３からの操作指示信号を監視して、撮像操作（シャッタレリース操作等）を表す撮像操作指示信号が発生したか否かの確認を行う。ここで、撮像操作指示信号の発生が確認された場合には、次のステップＳ３６の処理に進む。また、撮像操作指示信号の発生が（所定の時間、）確認されない場合には、上述の図４のステップＳ１の処理に戻り、以降の処理を繰り返す（図５、図４の分岐符号Ｃ）。
【０１３３】
ステップＳ３６において、画像処理制御部１１は、通常の撮像処理を実行する。その後、ステップＳ３７の処理に進む。
【０１３４】
続いて、ステップＳ３７において、画像処理制御部１１は、設定された優先媒体への記録処理を実行する。その後、上述の図４のステップＳ１の処理に戻り、以降の処理を繰り返す（図５、図４の分岐符号Ｃ）。
【０１３５】
ところで、上述の図４のステップＳ１の処理にて、現在設定されている動作モードが撮像モード以外であると確認されて、図６のステップＳ４１の処理に進むと（図４、図６の分岐符号Ｂ）、このステップＳ４１において、画像処理制御部１１は、現在設定されている動作モードが再生モードであるか否かの確認を行う。
【０１３６】
即ち、上記ステップＳ４１の処理にて、画像処理制御部１１は、現在設定されている動作モードが再生モードであると確認した場合には、ステップＳ４２の処理に進む。また、現在再生モードが設定されていない、つまり撮像モード及び再生モード以外の動作モードが設定されていることを確認した場合には、図６に示すように「その他の動作モード」の確認処理を実行する。なお、上記「その他の動作モード」については、本発明に直接関連しない部分であるので、その詳細な処理シーケンスの説明及び図示を省略する。ここで、上記「その他の動作モード」としては、例えば当該撮像装置１０が当該撮像装置１０以外の他の外部機器との間でデータ通信や無線給電等を行う「通信モード」や「無線給電モード」等がある。
【０１３７】
以下は、本実施形態の撮像装置１０における再生モード時の作用である。即ち、まず、ステップＳ４２において、画像処理制御部１１は、記録制御部１１ｃの媒体判定部１１ｄを介して第１記録部１４ａと第２記録部１４ｂとのそれぞれ（のカードスロット）に記憶媒体２４ａ，２４ｂがそれぞれ挿入（装着）されているか否かの確認を行う。ここで、二つの記憶媒体（２４ａ，２４ｂ）が各記録部（１４ａ，１４ｂ）のそれぞれに装着されていることが確認された場合には、次のステップＳ４３の処理に進む。また、二つの記憶媒体（２４ａ，２４ｂ）が装着されていない、つまり一方のカードスロットのみに記憶媒体が装着されている場合、若しくはいずれのカードスロットにも記憶媒体が装着されていないことが確認された場合には、ステップＳ４４の処理に進む。
【０１３８】
ステップＳ４４において、画像処理制御部１１は、記録制御部１１ｃ及び表示制御部１１ａを制御して通常の表示処理を実行する。ここで、例えば第１記録部１４ａと第２記録部１４ｂと（のカードスロット）の一方のみに記憶媒体がそれぞれ装着されている場合には、画像処理制御部１１は、記録制御部１１ｃを介して記憶媒体が装着されている記録部を駆動制御して、装着されている記憶媒体に記憶済みの画像データの読み出しを行ない、読み出した画像データのうちの一番新しい画像データ（記録済み画像データのうちの最新の画像データ）を表示制御部１１ａを介して二つの表示部（１６，１７）へと伝送し、いずれか一方の表示部に表示させる。
【０１３９】
また、ここで、例えば第１記録部１４ａと第２記録部１４ｂと（のカードスロット）の両方に記憶媒体が装着されていない場合には、画像処理制御部１１は、記録制御部１１ｃを介して内部記録部１４ｃを駆動制御して、内部メモリ２４ｃに記憶済みの画像データの読み出しを行ない、読み出した画像データを表示制御部１１ａを介して二つの表示部（１６，１７）のうちの一方に表示させる。
【０１４０】
なお、内部メモリ２４ｃを省略して構成した場合においては、第１記録部１４ａと第２記録部１４ｂと（のカードスロット）のいずれにも記憶媒体が装着されていない場合は、記憶媒体が存在しない旨の警告表示等を二つの表示部（１６，１７）のうちの一方に表示させる処理などを行う。その後、ステップＳ４５の処理に進む。
【０１４１】
一方、上記ステップＳ４２の処理にて、二つの記憶媒体（２４ａ，２４ｂ）が装着されていることが確認されて、ステップＳ４３の処理に進むと、このステップＳ４３において、画像処理制御部１１は、記録制御部１１ｃ及び表示制御部１１ａを制御して、二つの記憶媒体（２４ａ，２４ｂ）に記憶済みの画像データの読み出しを行ない、読み出した画像データのうちの最新の画像データを表示制御部１１ａを介して二つの表示部（１６，１７）へと伝送し、いずれか一方の表示部に表示させる。
【０１４２】
このときの表示形態としては、例えば、二つの記憶媒体（２４ａ，２４ｂ）を一つの記憶媒体と見なして制御して、当該二つの記憶媒体に記憶済みの画像データを、例えば時系列などを基準としてソートし、順に表示するなどの表示形態が考えられる。
【０１４３】
また、別の表示形態としては、二つの記憶媒体のうちの一方を使用者（ユーザ）が選択操作して、選択された方の記憶媒体から画像データを読み取って表示させるような形態としてもよい。この場合、記憶媒体の選択操作は、適宜任意の時に行ない得るようにする。また、これら例示した表示形態に限らず、その他の表示形態で表示させるようにしてもよい。その後、ステップＳ４５の処理に進む。
【０１４４】
ステップＳ４５において、画像処理制御部１１は、操作判定部１１ｂを介して操作部１３からの指示信号を監視して、操作指示信号が発生すれば、その操作指示信号に応じた表示処理を実行する。このとき行ない得る表示処理の具体例としては、例えば表示中の画像の拡大表示や、拡大表示位置の変更、表示画像データの切り換え、サムネイル画像の一覧表示等の表示処理である。その後、ステップＳ４６の処理に進む。
【０１４５】
ステップＳ４６において、画像処理制御部１１は、操作判定部１１ｂを介して操作部１３からの指示信号を監視して、再生モードを抜け出るための操作指示である「戻る」指示の発生の確認を行う。ここで、「戻る」指示が確認されない場合には、上述のステップＳ４２の処理に戻り以降の処理を繰り返す。一方、ここで、「戻る」指示が確認された場合には、図４のステップＳ１の処理に戻り、以降の処理を繰り返す（図６、図４の分岐符号Ｃ）。
【０１４６】
上述のステップＳ４２の処理にて、二つの記憶媒体（２４ａ，２４ｂ）が装着されていることが確認されて、ステップＳ４３の処理に進んだ場合に、当該ステップＳ４３の処理にて行われる表示処理について、さらに詳述する。
【０１４７】
この場合において、再生動作の対象とする画像データは、本実施形態の撮像装置１０の二つの記録部（１４ａ，１４ｂ）のカードスロットにそれぞれ装着された各記憶媒体（２４ａ，２４ｂ）に対し「分割記録」を行って得られた画像データ、即ち二つの記憶媒体に対し図１４に示す形態で記録された画像データとする。
【０１４８】
図１４に示すように、第１記憶媒体２４ａには非圧縮データが記録され、第２記憶媒体２４ｂには圧縮データが記録されている。そして、二つの記憶媒体に記録された画像データはファイル名が重複しないように振られている。
【０１４９】
そして、本実施形態の撮像装置１０における再生動作時には、二つの記憶媒体（２４ａ，２４ｂ）を一つの記憶媒体と見なして制御がなされる。これにより、二つの記憶媒体（２４ａ，２４ｂ）のそれぞれに記録された全ての画像データを対象として順次再生表示を行うことができる。
【０１５０】
このように、再生動作を行う際に、撮像装置１０の二つの記録部（１４ａ，１４ｂ）のカードスロットに装着されている記憶媒体（２４ａ，２４ｂ）のそれぞれは、同撮像装置１０による記録動作時に二つの記憶媒体のペアとして用いられたものであるとは限らない。例えば、記録動作時には、図１４に示す第１記憶媒体２４ａと第２記憶媒体２４ｂとを用いた場合、これら二つの記憶媒体（２４ａ，２４ｂ）が二つの記録部（１４ａ，１４ｂ）に装着された状態のまま再生動作モードに移行した時には、上述したように、二つの記憶媒体（２４ａ，２４ｂ）を一つの記憶媒体と見なした形態で再生動作を実行し得るのには、何の問題も生じない。
【０１５１】
ところが、上記二つの記憶媒体（２４ａ，２４ｂ）をペアとして記録動作を行った後、再生動作を実行する前に、例えば一方の記録部（例えば第２記録部１４ｂ）に装着された一方の記憶媒体（例えば第２記憶媒体２４ｂ）を取り外し、これに換えて、図１５に示すように、第２記録部１４ｂに第３記憶媒体２４ｘを装着した場合を考える。
【０１５２】
ここで、新たに装着された第３記憶媒体２４ｘのファイル構造は、図１５に示す形態であるものとする。この第３記憶媒体２４ｘは、例えば他の撮像装置などを用いて取得され記録された複数の画像データが記録されている。又は、上記第３記憶媒体２４ｘは、同じ撮像装置１０を用いて別の機会に撮像動作が行われて得られた複数の画像データが記録されているものとする。
【０１５３】
したがって、当該第３記憶媒体２４ｘのファイル構造は、図１５の枠１２４ｘ内に示すように、「ＤＣＩＭ」フォルダの下層の「１００ＯＬＹＭＰ」フォルダ内に複数の画像データ、即ちファイル名「Ｐ４１８０００１．ＪＰＧ」〜「Ｐ４１８０００７．ＪＰＧ」の連続した番号が振られた複数の画像データが記録されている。
【０１５４】
このような場合には、第１記録部１４ａの第１記憶媒体２４ａと、第２記録部１４ｂの第３記憶媒体２４ｘとの間で、ファイル名が重複していながら内容の異なる画像データが存在することになる。したがって、二つの記憶媒体（２４ａ，２４ｘ）を一つの記憶媒体と見なして再生制御を行うと問題が生じる可能性がある。
【０１５５】
そこで、このような事態に対処するために、本実施形態の撮像装置１０においては、二つの記憶媒体を使用して記録動作を行う際には、各記憶媒体に対して固有番号情報であるユニークＩＤ（図１６の符号２５ａ参照）を記録する制御が行われている。
【０１５６】
上記ユニークＩＤ２５ａは、記憶媒体を記録部に装着して新たにフォルダが作成されるタイミングなどに附される固有の情報である。ユニークＩＤ２５ａは、例えば一つのファイルとして作成される。このユニークＩＤ２５ａの形態としては、例えば撮像装置１０に固有のシリアル番号とファイル作成時点の年月日情報などからなる唯一固有の情報である。
【０１５７】
具体的には、例えば撮像装置１０の二つの記録部（１４ａ，１４ｂ）のそれぞれに記憶媒体を装着した状態で当該撮像装置１０を起動させる。すると、画像処理制御部１１は、その起動処理時に、二つの記録部（１４ａ，１４ｂ）を確認し、それぞれに装着されている記憶媒体を確認する。
【０１５８】
このとき、図１６に示すように、各記憶媒体（２４ａ，２４ｂ）が既にユニークＩＤ（２５ａ）を有しており、同名フォルダのユニークＩＤ２５ａが一致している場合には、既存のフォルダ及びユニークＩＤ２５ａを継続使用する。
【０１５９】
一方、図１７に示すように、各記憶媒体（２４ａ，２４ｘ）が既にユニークＩＤ（２５ａ，２５ｂ）を有しており、同名フォルダのユニークＩＤ２５ａ，２５ｂが不一致の場合には、二つの記憶媒体を別個の記憶媒体として扱う制御がなされる。したがって、この場合には、まず、例えば一方の記憶媒体（例えば第１記憶媒体２４ａ）のみが記録動作及び再生動作の対象となる。その旨の表示が表示部に表示される。また、使用者（ユーザ）は、所定の操作を行うことで、使用中の記憶媒体（第１記憶媒体２４ａ）から別の記憶媒体（第３記憶媒体２４ｘ）へと扱う対象を切り換えることができる。
【０１６０】
他方、同様に、各記憶媒体（２４ａ，２４ｘ）が既にユニークＩＤ（２５ａ，２５ｂ）を有している場合において、二つの記憶媒体（２４ａ，２４ｘ）を用いて記録動作を行う設定となっている時には、これら二つの記憶媒体（２４ａ，２４ｘ）を確認した後に、新たな同名フォルダ（例えば「１０１ＯＬＹＭＰ」）を二つの記憶媒体（２４ａ，２４ｘ）のそれぞれに作成し、その新フォルダ内（「１０１ＯＬＹＭＰ」）に新たなユニークＩＤ（２５ｃ）を付与する制御が実行されるようにしてもよい（図１８参照）。このときに付与されるユニークＩＤ２５ｃは、二つの記録部（１４ａ，１４ｂ）にそれぞれ装着されている二つの記憶媒体（２４ａ，２４ｘ）に対して同じ内容のものが付与される。つまり、同じユニークＩＤを有する二つの記憶媒体がペアとなったときに、二つの記憶媒体を協働させた記録動作及び再生動作の実行制御がなされる。
【０１６１】
こうして、同一のユニークＩＤ２５を有する二つの記憶媒体を用いて記録動作が行われた後に、再生動作モードに移行すると（図６のステップＳ４１参照）、まず画像処理制御部１１は、二つの記録部（１４ａ，１４ｂ）の二つの記憶媒体（２４ａ，２４ｂ）を確認する。そして、同一フォルダ名のフォルダ内のそれぞれに格納されたユニークＩＤ２５が一致した時には、二つの記憶媒体の同名フォルダを一つの媒体と見なして再生処理を実行する（図１６参照）。
【０１６２】
また、同一のフォルダ名にそれぞれ格納されたユニークＩＤ２５が不一致の場合には、一方（例えば第１記録部１４ａ）に装着されている方の記憶媒体の画像データのみを再生対象とすると共に、適宜使用者（ユーザ）による操作に応じて、他方（例えば第２記録部１４ｂ）の記憶媒体に切り換えて再生動作を実行する。
【０１６３】
なお、これとは別に、ユニークＩＤ２５が不一致の場合、まず一方（第１記録部１４ａ）の記憶媒体を再生対象とし、その記憶媒体に記録済みの画像データの再生が最終画像まで進むと、自動的に他方（第２の記録部１４ｂ）の記憶媒体を再生対象となるように制御してもよい。この場合には、使用者（ユーザ）は、二つの記憶媒体の切り換えを意識すること無く、一方の媒体から他方の媒体まで連続した一つの媒体と同等のものとして違和感なく取り扱うことができる。
【０１６４】
このような対応を施すことによって、第１記録部１４ａと第２記録部１４ｂとのそれぞれに装着された記憶媒体（２４ａ，２４ｂ）のうち一方が入れ替えられて、一方の記録部に記録動作時とは異なる別の記憶媒体２４ｘが装着されたとしても、常に問題なく再生動作を実行することができる。
【０１６５】
以上説明したように上記一実施形態によれば、複数の記憶媒体を装着し得る複数の記録部（カードスロット）を具備し、例えば画像や音声その他のデータ化された各種の情報を処理し記録する情報処理記録装置において、複数の記録部に装着された複数の記憶媒体のそれぞれの特性情報と、情報（データ）の種類情報と、撮像装置の動作モード設定とに基づいて、適切な種類の情報（データ）を適切な記憶媒体に記録する。これと同時に、複数の記録部に装着された複数の記憶媒体のそれぞれに記録された複数の画像データを対象とする再生動作の際には、記録動作時に各記憶媒体内に作成された固有番号情報（ユニークＩＤ）に基づいて再生制御が行われる。
【０１６６】
これにより、複数の記憶媒体のそれぞれに記録された多量の情報（データ）の中から
使用者（ユーザ）が所望する特定の情報（データ）を確実にかつ容易に取り出し表示することができる。
【０１６７】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【０１６８】
また、ここで説明した技術のうち、主にフローチャートで説明した制御や機能は、多くがソフトウエアプログラムにより設定可能であることが多くあり、そのソフトウエアプログラムをコンピュータが読み取り実行することで上述した制御や機能を実現することができる。そのソフトウエアプログラムは、コンピュータプログラム製品として、予め製品製造過程において上記記憶媒体や記憶部等、具体的には例えばフレキシブルディスク ＣＤ−ＲＯＭ等 不揮発性メモリ等の可搬媒体やハードディスク 揮発性メモリ等の記憶媒体に、その全体あるいは一部を記憶又は記録されている電子データである。また、これとは別に、製品出荷時又は可搬媒体或いは通信回線を介して流通又は提供が可能なものである。利用者は、製品出荷後であっても、自ら通信ネットワークやインターネット等を介して、それらのソフトウエアプログラムをダウンロードしてコンピュータにインストールしたり、あるいは記憶媒体からコンピュータにインストールすることで、動作可能にすることができ、これによって容易に本実施形態の撮像装置を実現することができる。
【０１６９】
上述の各実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。即ち、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【０１７０】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【産業上の利用可能性】
【０１７１】
本発明は、撮像装置に限られることはなく、情報としての画像データを処理し記録する機能を備えたその他の形態の電子機器、例えばデジタルカメラ、ムービーカメラ、携帯電話、スマートフォン、電子手帳、電子辞書、携帯情報端末、パーソナルコンピュータ、タブレット型端末機器、ゲーム機器、テレビジョン受像器、時計、ＧＰＳ（Global Positioning System）を利用したナビゲーション機器等、各種の撮像機能付き電子機器等に対して広く適用することができる。
【０１７２】
また、撮像素子を用いて画像データを情報として取得して、その取得画像データに処理を施し記録し表示装置を用いて表示する機能を有する電子機器、例えば望遠鏡、双眼鏡、単眼鏡、顕微鏡等の観察用機器に対しても同様に適用することができる。
【０１７３】
そして、内視鏡、顕微鏡のような産業用若しくは医療用の観察機器等のほか、監視カメラや車載用カメラ等の撮像装置を含むシステムにおいても同様に適用することができる。
【０１７４】
さらに、情報処理記録装置が扱う情報としては、画像データのみに限らず、他の形態の情報データ、例えば音声データ等であってもよい。したがって、音声データを扱う各種の音声記録再生機能を備えた録音機、ボイスレコーダ、ＩＣレコーダ等の電子機器等に対しても、本発明は同様に適用することができる。
【符号の説明】
【０１７５】
１０……撮像装置
１１……画像処理制御部
１１ａ……表示制御部
１１ｂ……操作判定部
１１ｃ……記録制御部
１１ｄ……媒体判定部
１１ｅ……撮像制御部
１１ｆ……画像情報処理部
１１ｇ……改竄防止部
１２……撮像部
１２ａ……撮像光学系
１２ｂ……撮像素子
１３……操作部
１３ａ，１３ｅ……回転式ダイヤル操作部材
１３ｂ，１３ｃ，１３ｄ……押圧式ボタン操作部材
１４……記録部
１４ａ……第１記録部
１４ｂ……第２記録部
１４ｃ……内部記録部
１６……第１表示部
１７……第２表示部
１９……タッチパネル
２０……通信部
２１……筐体
２１ａ……蓋部材
２４……記憶媒体
２４ａ……第１記憶媒体
２４ｂ……第２記憶媒体
２４ｃ……内部メモリ
２４ｘ……第３記憶媒体
【図１】
2018026745.tif 000003
【図２】
2018026745.tif 000004
【図３】
2018026745.tif 000005
【図４】
2018026745.tif 000006
【図５】
2018026745.tif 000007
【図６】
2018026745.tif 000008
【図７】
2018026745.tif 000009
【図８】
2018026745.tif 000010
【図９】
2018026745.tif 000011
【図１０】
2018026745.tif 000012
【図１１】
2018026745.tif 000013
【図１２】
2018026745.tif 000014
【図１３】
2018026745.tif 000015
【図１４】
2018026745.tif 000016
【図１５】
2018026745.tif 000017
【図１６】
2018026745.tif 000018
【図１７】
2018026745.tif 000019
【図１８】
2018026745.tif 000020